(57)【要約】【課題】  液晶パネル（映像表示素子）などを、傷つけることなく、かつ、位置決め精度良く、簡単・容易にユーザが交換可能とすることで、液晶パネルなどが故障した場合の、修理日数や修理コストを低減できるようにすること。【解決手段】  投射型映像表示装置において、映像表示素子が交換用ケースに一体に組み込み・収納されており、この交換用ケースごと映像表示素子を交換可能であるように構成する。【選択図】      図１
2005208488.tif 000002
【特許請求の範囲】
【請求項１】
光を放射する光源ユニットと、映像信号に応じた光学像を形成するライトバルブ手段である映像表示素子と、この映像表示素子から出射した光を投射する投射手段とを、含んで構成される投射型映像表示装置において、
前記映像表示素子が交換用ケースに収納されており、この交換用ケースごと前記映像表示素子が交換可能であることを特徴とする投射型映像表示装置。
【請求項２】
請求項１に記載の投射型映像表示装置において、
前記交換用ケースには、１／４波長位相差板が一体に組み込まれており、前記交換用ケースごと前記映像表示素子および前記１／４波長位相差板が、交換されることを特徴とする投射型映像表示装置。
【請求項３】
請求項１に記載の投射型映像表示装置において、
前記交換用ケースには、視野角補償位相差板が一体に組み込まれており、前記交換用ケースごと前記映像表示素子および前記視野角補償位相差板が、交換されることを特徴とする投射型映像表示装置。
【請求項４】
請求項１に記載の投射型映像表示装置において、
前記交換用ケースには、検光の機能を果たす検光子が一体に組み込まれており、前記交換用ケースごと前記映像表示素子および前記検光子が、交換されることを特徴とする投射型映像表示装置。
【請求項５】
請求項１に記載の投射型映像表示装置において、
前記交換用ケースには、略直線偏光成分のみ透過する偏光子が一体に組み込まれており、前記交換用ケースごと前記映像表示素子および前記偏光子が、交換されることを特徴とする投射型映像表示装置。
【請求項６】
請求項１に記載の投射型映像表示装置において、
前記交換用ケースが前記投射型映像表示装置に装着されているか否かを検知する検知手段を備えたことを特徴とする投射型映像表示装置。
【請求項７】
請求項６に記載の投射型映像表示装置において、
前記検知手段により前記交換用ケースが前記投射型映像表示装置に装着されていないことを検知した際には、前記光源ユニットの点灯を禁止する手段を備えたことを特徴とする投射型映像表示装置。
【請求項８】
請求項１乃至７の何れか１項に記載の投射型映像表示装置において、
前記映像表示素子は１枚のみが用いられることを特徴とする投射型映像表示装置。
【請求項９】
光を放射する光源ユニットと、映像信号に応じた光学像を形成するライトバルブ手段である映像表示素子と、時間軸上異なる期間に、複数種の所定の波長帯域の光のうちの１種を、前記光源ユニットからの光から分離する光学特性切り替え手段と、前記映像表示素子から出射した光を投射する投射手段とを、含んで構成される投射型映像表示装置において、
前記光学特性切り替え手段が交換用ケースに収納されており、この交換用ケースごと前記光学特性切り替え手段が交換可能であることを特徴とする投射型映像表示装置。
【請求項１０】
請求項９に記載の投射型映像表示装置において、
前記交換用ケースが前記投射型映像表示装置に装着されているか否かを検知する検知手段を備えたことを特徴とする投射型映像表示装置。
【請求項１１】
請求項１０に記載の投射型映像表示装置において、
前記検知手段により前記交換用ケースが前記投射型映像表示装置に装着されていないことを検知した際には、前記光源ユニットの点灯を禁止する手段を備えたことを特徴とする投射型映像表示装置。
【請求項１２】
請求項１乃至１１の何れか１項に記載の投射型映像表示装置において、
前記投射手段から出射された光を反射する反射手段を備え、この反射手段が着脱可能であることを特徴とする投射型映像表示装置。
【請求項１３】
請求項１乃至１１の何れか１項に記載の投射型映像表示装置において、
前記投射手段用の収納部を設けたことを特徴とする投射型映像表示装置。
【請求項１４】
請求項１乃至７の何れか１項に記載の投射型映像表示装置において、
投射される映像の色ムラを補正する色ムラ補正回路を有し、
前記交換用ケースには、前記色ムラ補正回路用の補正量を記憶できる記憶素子が一体に組み込まれており、前記交換用ケースごと前記記憶素子が交換可能であることを特徴とする投射型映像表示装置。
【発明の詳細な説明】
【技術分野】
【０００１】
本発明は、透過型液晶パネルあるいは反射型液晶パネルなどのライトバルブ素子を使用して、スクリーン上に映像を投影する投射装置、例えば、液晶プロジェクタ装置や、反射式映像表示プロジェクタ装置、投射型ディスプレイ装置などの投射型映像表示装置に関するものである。
【背景技術】
【０００２】
投射型映像表示装置として、例えば、単板のパネルと、時分割色分離素子としてカラーフィルターホイールとを用いた構成が知られている（特許文献１参照）。
【０００３】
また、投射型映像表示装置として、２枚のパネルと、時分割色分離素子として電子的色分離素子とを用いた構成が知られている（特許文献２参照）。
【０００４】
また、液晶パネルを製品から着脱可能として、液晶パネルを液晶プロジェクタ装置と液晶テレビ装置とで共用可能とした構成が知られている（特許文献３参照）。
【特許文献１】特開平１０−７８５５０号公報
【特許文献２】特開２００２−４０３６７号公報
【特許文献３】特開平８−２０１７５２号公報
【発明の開示】
【発明が解決しようとする課題】
【０００５】
ところで、特許文献１、２などの従来の液晶プロジェクタ装置においては、液晶パネルなどが故障した場合には、ユーザ自身が故障を修理するということを前提とした構成となっていないため、ユーザは修理をメーカーに依頼する必要があった。このため、修理日数もかかるし、修理コストも高くなるという問題があった。
【０００６】
また、特許文献３には、液晶パネルを液晶プロジェクタ装置と液晶テレビ装置とで共用可能とするため、液晶パネルを液晶プロジェクタ装置から着脱可能とした構成が示されているが、この特許文献３に記載された技術では、液晶パネルを単体でソケットに対して抜き差しするようにしているため、取り扱いに注意しないと液晶パネルに損傷を与える懸念があり、また、液晶パネル装着時の位置決め精度への配慮もなされていない。さらに、液晶パネルには、各パネル毎に位置合わせ調整を必要とする光学素子（位相差板や偏光板など）が付設されことが一般的であるが、特許文献３に示された技術では、液晶パネルを交換した際における、上記の各パネル毎に位置合わせ調整を必要とする光学素子への整合性についての記載もない。
【０００７】
本発明は上記の点に鑑みなされたもので、その目的とするところは、液晶パネルや色分離手段などを、傷つけることなく、かつ、位置決め精度良く、簡単・容易にユーザが交換可能とすることで、液晶パネルや色分離手段などが故障した場合の、修理日数や修理コストを低減できるようにすることにある。
【課題を解決するための手段】
【０００８】
上記した目的を達成するため、本願による代表的な１つの発明では、
光を放射する光源ユニットと、映像信号に応じた光学像を形成するライトバルブ手段である映像表示素子と、この映像表示素子から出射した光を投射する投射手段とを、含んで構成される投射型映像表示装置において、
映像表示素子が交換用ケースに収納されており、この交換用ケースごと映像表示素子が交換可能であるように、構成される。  
また、本願による代表的な他の１つの発明では、
光を放射する光源ユニットと、映像信号に応じた光学像を形成するライトバルブ手段である映像表示素子と、時間軸上異なる期間に、複数種の所定の波長帯域の光のうちの１種を、光源ユニットからの光から分離する光学特性切り替え手段と、映像表示素子から出射した光を投射する投射手段とを、含んで構成される投射型映像表示装置において、
光学特性切り替え手段が交換用ケースに収納されており、この交換用ケースごと光学特性切り替え手段が交換可能であるように、構成される。
【発明の効果】
【０００９】
本発明によれば、交換用ケースごと映像表示素子（反射型液晶パネルや透過型液晶パネル）が交換可能、あるいは、交換用ケースごと光学特性切り替え手段（色分離手段）が交換可能であるので、交換用ケースに収納された液晶パネルや色分離手段が損傷を受ける虞はなく、しかも、交換用ケースを装置本体の所定部位に当て付けることができるので、交換用ケース、すなわち、液晶パネルや色分離手段の位置決め精度を良好なものに保証でき、ユーザが手軽に交換用ケースごと交換を行うことで、液晶パネルや色分離手段を簡単・容易に交換することが可能となる。したがって、液晶パネルや色分離手段などが故障した場合の、修理日数や修理コストを低減することが可能となる。  
さらに、各液晶パネル毎に位置合わせ調整を必要とする光学素子（位相差板や偏光板など）も、液晶パネルと共に交換用ケースごと交換を行うようにすると、液晶パネルの交換に際して、ユーザにとって困難な作業である調整作業が不要となり、光学性能を所期のものに保証できる。  
さらにまた、交換用ケースが装置に装着されているか否かを検知する検知手段を設けて、検知手段により交換用ケースが装置に装着されていないことを検知した際には、光源ユニットの点灯を禁止するようになすと、液晶パネルや色分離手段がない状態では、ユーザが誤って動作指令を行っても装置が点灯動作をすることはなく、したがって、正常な表示が不能な状態での誤動作を確実に防止でき、高温となる光源ユニットの無駄な点灯を回避することができる。
【発明を実施するための最良の形態】
【００１０】
以下、本発明の実施の形態を、図面を用いて説明する。
【００１１】
図１は、本発明の第１実施形態に係る投射型映像表示装置の構成を簡略化して示す上方から見た説明図であり、同図では装置筐体の上側を割愛してある。本第１実施形態を含め本発明の各実施形態は、ライトバルブとしての映像表示素子を１枚用いた単板タイプの投射型映像表示装置への適用例であり、本第１実施形態はライトバルブとして反射型映像表示素子１３を用いた投射型映像表示装置２２となっている。
【００１２】
図１に示すように、投射型映像表示装置２２には、光源１ａおよびリフレクタ２を有する光源ユニット１が設けられており、光源１ａは、超高圧水銀ランプ、メタルハライドランプ、キセノンランプ、水銀キセノンランプ、ハロゲンランプ等の白色ランプからなっている。光源１ａからの発熱により、光源１ａ及びリフレクタ２は、高温となるため、後方に配置した冷却ファン（図示せず）により、光源ユニット１を冷却している。光源１ａの電球から放射される光は、楕円面または放物面または非球面のリフレクタ２にて集光されて、反射される。本第１実施形態では、楕円リフレクタにより集光され、ライトパイプ５に入射する。
【００１３】
ライトパイプ５は、ガラスの直方体で作成されたロッドレンズ型である。ライトパイプ５を出射した光は、略Ｐ偏光のみ透過する偏光板（入射側偏光板）１４に入射する。このライトパイプ５の出射開口の像は、偏光板１４、反射ミラー１７を経由して結像レンズ群４３に入射し、結像レンズ群４３によって反射型映像表示素子１３上に結像されるように、結像レンズ群４３から出射する。
【００１４】
その後、光は電子的色分離手段１１に入射する。電子的色分離手段１１は、各色用のＲ偏光回転制御素子、Ｇ偏光回転制御素子、Ｂ偏光回転制御素子を有し、各偏光回転制御素子は、これに電圧を印加しないと、特定波長域の光の偏光軸が変換され、電圧を印加すると光の偏光軸が変換されずにそのまま出射される構成となっている。これにより、電子的色分離手段１１は、Ｒ、Ｇ、Ｂと順次、各単色のみ偏光を変換する。ここでは、電子的色分離手段１１に白色光がＰ偏光で入射するので、まず、Ｒ光をＳ偏光に変換し、残りのＧ、Ｂ光はＰ偏光のまま出射する。そして、次のタイミングにＧをＳ偏光、Ｂ、ＲをＰ偏光で出射し、その次のタイミングにＢをＳ偏光、Ｒ、Ｇ光をＰ偏光で出射する。
【００１５】
本第１実施形態では、電子的色分離手段１１は、交換用ケース１１ａに一体に組み込み・収納されて、交換用ケース１１ａごと装置に装着されるようになっており、電子的色分離手段１１が故障した際には（特性が劣化した際には）、交換用ケース１１ａごと、電子的色分離手段１１を交換する構成としてある。交換用ケース１１ａは、装置に上方から嵌め込まれて、上方からのネジ止めにより固定されるようになっており、交換用ケース１１ａを取り外すときには、図示せぬネジを外して、交換用ケース１１ａの上部に一体に設けた図示せぬ取っ手部を利用して、交換用ケース１１ａを装置の上方に引き抜くようになっている。新品の電子的色分離手段１１を内蔵した新品の交換用ケース１１ａを装着する際には、取り外し時と逆の手順で、交換用ケース１１ａごと電子的色分離手段１１を装置に装着する。なお、交換用ケース１１ａを装置に装着すると、図示していないが、電子的色分離手段１１と接続された交換用ケース１１ａのコネクタ部と、装置のコネクタ部とが接続（電気的に接続）されるようになっていることは、言うまでもない。
【００１６】
このように、交換用ケース１１ａごと電子的色分離手段１１を交換するように構成することで、交換に際して電子的色分離手段１１が傷付く虞がなく、しかも、交換用ケース１１ａを装置の所定部位に当て付けることができるので、交換用ケース１１ａ、すなわち、電子的色分離手段１１の位置決め精度を良好なものに保証でき、ユーザが手軽に交換用ケース１１ａごと交換を行うことで、電子的色分離手段１１を簡単・容易に交換することが可能となる。
【００１７】
また、本第１実施形態では、電子的色分離手段１１が装置内にあるかどうかを検知するために、交換用ケース１１ａが装着されているか否かを検知する検知器（例えばホトセンサやスイッチなど）１１ｂが、装置には設けられており、交換用ケース１１ａが装着されていない場合（すなわち、電子的色分離手段１１が装着されていない場合）には、装置内の光源駆動回路６２が備えるインターフェイス機能がこれを検知して、光源駆動回路６２は、ユーザが点灯ボタンを押しても、光源１ａの点灯を行わないようになっている。さらに、光源１ａの点灯中に、交換用ケース１１ａ（電子的色分離手段１１）が取り外された場合には、検知器１１ｂからの出力でこれを検知した光源駆動回路６２は、強制的に光源１ａを消灯させるようになっている。このようにすることにより、正常な表示が不能な状態での誤動作を確実に防止でき、高温となる光源ユニットの無駄な点灯を回避することができる。
【００１８】
前記した電子的色分離手段１１の各色用の偏光回転制御素子は、紫外光や熱により徐々に特性が劣化する。そこで、特性が使用に耐えられない程劣化した場合には、先にも述べたように、ユーザは交換用ケース１１ａごと電子的色分離手段１１のみを交換する。このように、ユーザ自身が電子的色分離手段１１を交換可能であるので、修理業者や製造元に修理を依頼する場合に比べ、修理日数も、手間もかからない。したがって、装置の他の構成部品はそのまま使用できるので、ユーザは、交換用ケース１１ａに内蔵された電子的色分離手段１１のみを買い換えればよいので、装置全体を買い換えるのに較べると格段にコスト負担が少ないものとなり、また、装置の寿命を長持ちさせることができる。
【００１９】
電子的色分離手段１１を出射した光は、電子的色分離手段１１の出射側に配置された偏光分離素子（ＰＢＳ）１９によって、Ｓ偏光は反射して反射型映像表示素子１３に照射される。したがって、電子的色分離手段１１により、Ｒ、Ｇ、Ｂと順次、各単色のみＳ偏光に変換された光が偏光分離素子１９に入射するので、Ｒ、Ｇ、Ｂの順で各色光が反射型映像表示素子１３に入射する。この色光の照射のタイミングに合わせて、反射型映像表示素子１３で各色用の映像を表示する。各色光の切替のタイミングは１８０Ｈｚ以上と速いので、スクリーン（図示せず）上に投射される映像は、人間の目には、３色の映像が合成されたものとして表示される。
【００２０】
反射型映像表示素子１３には、表示する画素に対応する（例えば横１３６５画素、縦７６８画素）数の液晶表示部が備えられている。そして、外部より駆動される信号に従って、反射型映像表示素子１３の各画素の偏光角度が変わり、偏光方向の一致した光が偏光分離素子１９にて検光される。この途中の角度の偏光を持った光は、偏光分離素子１９の偏光度との関係で、偏光分離素子１９にて検光される量が決まる。このようにして、外部より入力する信号に従った映像を表示する。このとき、反射型映像表示素子１３が黒表示を行う場合には、偏光方向は入射光と略同等であり、そのまま入射光路に沿って光源側に戻される。反射型映像表示素子１３では、照射される色光に応じた映像が順次、表示される。すなわち、Ｒ光のときはＲの映像情報が、Ｂ光のときはＢの映像情報が、Ｇ光のときはＧの映像情報が表示される。
【００２１】
ここで、本第１実施形態では、反射型液晶表示素子１３の直前に、１／４波長位相差板２３と視野角補償位相差板２５とを配した構成としてある。１／４波長位相差板２３は、反射型液晶表示素子１３と偏光分離素子（ＰＢＳ）１９、あるいは、前記偏光板１４との偏光軸を、１／４波長位相差板２３を回転調整することで、コントラストを向上させる機能をもっている。この１／４波長位相差板２３は、回転調整後、取り付け用アームなどにに接着剤で固定することで、回転調整後の相対位置を維持されるようになっている。また、１／４波長位相差板２３を設けることにより、偏光分離素子１９への光線の入射角度が膜面１９ａに対して傾斜していることに起因する、偏光分離素子１９における入射時と再入射時に発生する位相差を補償して、コントラストを改善する効果がある。
【００２２】
視野角補償位相差板２５は、反射型映像表示素子１３における斜め光のコントラスト劣化を改善する機能をもっている。ラビングを施した反射型映像表示素子１３においては、電力印加時でも、配向膜付近の液晶層が垂直にならず、そのために、斜めからの入射光にてコントラストが劣化するという問題がある。これに対して、視野角補償位相差板２５は、それの有する液晶層が、反射型映像表示素子１３のそれと略反転する構成を有するため、反射型映像表示素子１３にて発生した位相差を打ち消すことができるため、斜め光のコントラストを改善でき、コントラストを向上させることができる。この視野角補償位相差板２５も、回転調整後、取り付け用アームなどにに接着剤で固定することで、回転調整後の相対位置を維持されるようになっている。
【００２３】
偏光分離素子（ＰＢＳ）１９を透過した光は、例えばズームレンズであるような投射レンズ１２を通過し、スクリーンに到達する。投射レンズ１２により、反射型映像表示素子１３によって形成された画像は、スクリーン上に拡大投影されて、これにより、投影型映像表示装置として機能が発現される。
【００２４】
投射レンズ１２の近傍には、投射レンズ１２を装置のシャーシ３７から着脱可能な機構１２’を設けてある。この着脱可能な機構１２’としては、例えば、投射レンズ１２の鏡筒に一体に設けたフランジ部を、ネジによってシャーシ３７に取り付ける構成などが挙げられる。あるいは、着脱可能な機構１２’としては、投射レンズ１２の鏡筒の外周に雄ネジを切って、シャーシ３７には内周に雌ネジを切った円筒部を設けて、投射レンズ１２を回転させることによるネジの締結／取り外しによって、投射レンズ１２をシャーシ３７から着脱可能であるようにしてもよい。これにより、例えば、明るいが長焦点の投射レンズ１２と、暗いが短焦点の投射レンズ１２とを、その使用の状況に応じて、容易に取り替えて用いることができるようになっている。なお、投射レンズ１２には、取り外し時や不使用時にそのレンズ面を覆うキャップ等の保護具が取り付ける可能となっている。
【００２５】
また、本第１実施形態の装置には、交換用の投射レンズ１２を収納し保持するための収納部３０が設けてあり、この収納部３０には図示せぬ開閉可能な蓋が設けられている。これにより、例えば、明るいが長焦点の投射レンズ１２を使用している際には、収納部３０内には、暗いが短焦点の投射レンズ１２を収納・固定しておくことができるようになっている。したがって、交換用の投射レンズ１２を別途、持ち運ぶ必要がないために、利便性がよく、状況に応じて、すぐに投射レンズ１２を交換することが可能となる。また、交換用の投射レンズを装置内に収めているため、装置本体と交換用の投射レンズとがばらばらに管理されることもなく、交換用の投射レンズを探す手間も省ける。さらにまた、ある程度の強度が確保された装置の収納部３０内に、投射レンズ１２を固定して収納するため、レンズ部分の破損予防につながる。
【００２６】
また、本第１実施形態においては、投射レンズ１２からの光の投影方向を変更可能なように、紙面と直交する方向に回転可能な反射ミラー１７を保持する機構１７’を設けてある。この保持する機構１７’は、反射ミラー１７と一体となって回転する支軸１７ａと、支軸１７ａを軸受を介して回転可能であるように支持した２本のシャフト１７ｂと、各シャフト１７ｂの基端側にベアリングを介して回転可能であるように保持された雄ネジ付き部材１７ｃと、雄ネジ付き部材１７ｃの雄ネジが螺合されるシャーシ３７に設けられた雌ネジとから構成されており、反射ミラー１７を保持する機構１７’は、反射ミラー１７ごとシャーシ３７に対して着脱可能となっている。この保持する機構１７’は、その着脱部である雄ネジ付き部材１７ｃを回転させて、雄ネジ付き部材１７ｃの雄ネジをシャーシ３７の対応する雌ネジにネジ込むことによってシャーシ３７に固定され、反対に、雄ネジ付き部材１７ｃの雄ネジをシャーシ３７の雌ネジからネジ抜きすることによってシャーシ３７から取り外される。このような構成とすることにより、保持する機構１７’により反射ミラー１７を装置に取り付けた場合には、反射ミラー１７を自在に回転させることが可能であるので、投射型映像表示装置は固定したまま、投射位置の自由度を広くでき、ユーザにとって使い勝手のよいものとなる。また、反射ミラー１７が不要のときには取り外すことができるので、装置の搬送時や収納時に邪魔にならずに、ユーザにとって利便性のよいものとなる。
【００２７】
また、本第１実施形態においては、前記反射型映像表示素子１３も、前記１／４波長位相差板２３および前記視野角補償位相差板２５とともに、交換用ケース５０に一体に組み込まれて、交換用ケース５０ごと装置に装着されるようになっており、反射型映像表示素子１３などが故障した際には、交換用ケース５０ごと、反射型映像表示素子１３、１／４波長位相差板２３、視野角補償位相差板２５を交換する構成としてある。
【００２８】
図２は、本第１実施形態において、装置（投射型映像表示装置２２）から交換用ケース５０を取り外した状態を示す斜視図、図３の（ａ）は、図２と反対方向から見た交換用ケースの斜視図、図３の（ｂ）は、図３の（ａ）中の反射型映像表示素子１３の斜視図である。
【００２９】
図３に示すように、交換用ケース５０の中央部の開口には、反射型映像表示素子１３が嵌め込み・収納されて、反射型映像表示素子１３は、ネジ止めにより交換用ケース５０に固定されている。反射型映像表示素子１３からのフレキシブル配線板１３ａは、交換用ケース５０に設けられたコネクタ部５０ｂに接続されており、このコネクタ部５０ｂは装置のコネクタ部５６（図２）と接続可能となっている。このような構成とすることにより、反射型映像表示素子１３の交換に際して、ユーザがフレキシブル配線板１３ａを接続する必要がなくなり、交換用ケース５０を装置の所定位置に押し込むだけで、装置側と反射型映像表示素子１３との接続が可能になっている。また、交換用ケース５０には、さらに、１／４波長位相差板２３と視野角補償位相差板２５とが位置調整された後、一体に組み付けられており、反射型映像表示素子１３とともに、１／４波長位相差板２３および視野角補償位相差板２５も一緒に交換されるようになっている。これは、各反射型映像表示素子１３の液晶層の位相軸が、反射型映像表示素子１３毎に異なるため、最適なコントラストを確保するために、各反射型映像表示素子１３ごとに１／４波長位相差板２３を調整する必要があり、また同様に、斜め光のコントラストの劣化を最適に改善するため、各反射型映像表示素子１３ごとに視野角補償位相差板２５を調整する必要があるので、反射型映像表示素子１３のみを替える場合に比べて、調整済の１／４波長位相差板２３や視野角補償位相差板２５も一緒に交換した方が、コントラスト特性が良好なものになるからである。ここで、１／４波長位相差板２３および視野角補償位相差板２５は、まず、反射型映像表示素子１３に対してそれぞれ個別に回転調整可能に取り付けられ、それぞれを回転させて位置調整を行った後、接着剤などで交換用ケース５０に固定されるようになっている。
【００３０】
なお、本第１実施形態では、反射型映像表示素子１３に１／４波長位相差板２３と視野角補償位相差板２５とを付設した構成を採っているが、反射型映像表示素子１３に１／４波長位相差板２３のみを付設した構成や、反射型映像表示素子１３に視野角補償位相差板２５のみを付設した構成もあり得、これらの場合には、交換用ケース５０に反射型映像表示素子１３と１／４波長位相差板２３とを一体に組み付け、あるいは、交換用ケース５０に反射型映像表示素子１３と視野角補償位相差板２５とを一体に組み付け、交換用ケース５０ごと反射型映像表示素子１３と１／４波長位相差板２３とを交換、あるいは、交換用ケース５０ごと反射型映像表示素子１３と視野角補償位相差板２５とを交換するように構成する。あるいはまた、交換用ケース５０に反射型映像表示素子１３のみを一体に組み付けた構成もあり得、この場合には、交換用ケース５０ごと反射型映像表示素子１３を交換するように構成する。
【００３１】
本第１実施形態において、交換用ケース５０は、装置に上方から嵌め込まれて、側方からのネジ止めにより固定されるようになっており、交換用ケース５０を装置から取り外すには、図２に示すように、取り付け用のネジ５５を外して、交換用ケース５０の上部に一体に設けた取っ手部５３を利用して、交換用ケース５０を装置の上方に引き抜くようになっている。新品の反射型映像表示素子１３、１／４波長位相差板２３、視野角補償位相差板２５を一体に組み付けた新品の交換用ケース５０を装着する際には、取り外し時と逆の手順で、交換用ケース５０を装置に上方から押し込み、平行度を出すための交換用ケース５０側の押し当て部５０ａを、装置側の押し当て部２２ａに押し当てて、装置側のネジ穴５４にネジ５５を締め込んで、交換用ケース５０を装置に固定する。なお、特に図示しないが、位置決めピンや押し付けバネなどを用いて、取り付け位置や平行度の精度を確保するように構成してもよい。交換用ケース５０を装着した状態では、視野角補償位相差板２５が、図２に示した平板ガラス５２と所定間隔をもって対向する。
【００３２】
このように、交換用ケース５０ごと、反射型映像表示素子１３およびこれに付随する相差板２３、２５を交換するように構成することで、交換に際して反射型映像表示素子１３およびこれに付随する相差板２３、２５が傷付く虞がなく、しかも、交換用ケース５０を装置の所定部位に当て付けることができるので、交換用ケース５０、すなわち、反射型映像表示素子１３およびこれに付随する相差板２３、２５の位置決め精度を良好なものに保証でき、ユーザが手軽に交換用ケース５０ごと交換を行うことで、反射型映像表示素子１３およびこれに付随する相差板２３、２５を簡単・容易に交換することが可能となる。
【００３３】
また、本第１実施形態では、反射型映像表示装置１３が装置内にあるかどうかを検知するために、交換用ケース５０が装着されているか否かを検知する検知器（例えばホトセンサやスイッチなど）５１（図２）が、装置には設けられており、交換用ケース５０が装着されていない場合（すなわち、反射型映像表示素子１３およびこれに付随する相差板２３、２５が装着されていない場合）には、装置内の光源駆動回路６２が備えるインターフェイス機能がこれを検知して、光源駆動回路６２は、ユーザが点灯ボタンを押しても、光源１ａの点灯を行わないようになっている。さらに、光源１ａの点灯中に、交換用ケース５０が取り外された場合には、検知器５１からの出力でこれを検知した光源駆動回路６２は、強制的に光源１ａを消灯させるようになっている。このようにすることにより、正常な表示が不能な状態での誤動作を確実に防止でき、高温となる光源ユニット１の無駄な点灯を回避することができる。
【００３４】
前記した反射型映像表示素子１３は、紫外光や熱により徐々に特性が劣化する。そこで、特性が使用に耐えられない程劣化した場合には、先にも述べたように、ユーザは交換用ケース５０ごと、反射型映像表示素子１３とこれに付随する相差板２３、２５のみを交換する。このように、ユーザ自身が、反射型映像表示素子１３およびこれに付随する相差板２３、２５を交換可能であるので、修理業者や製造元に修理を依頼する場合に比べ、修理日数も、手間もかからない。したがって、装置の他の構成部品はそのまま使用できるので、ユーザは、交換用ケース５０に組み付けられた反射型映像表示素子１３およびこれに付随する相差板２３、２５のみを買い換えればよいので、装置全体を買い換えるのに較べると格段にコスト負担が少ないものとなり、また、装置の寿命を長持ちさせることができる。さらに、単板タイプの装置構成では、コンバー調整の必要がないので、より簡単な機構で十分であり、交換用の部品の低コスト化が可能となる。
【００３５】
また、投射型映像表示装置２２は、スクリーン（図示せず）上に投映される映像の色ムラを補正する色ムラ補正回路（図示せず）を有する。色ムラの補正量は、反射型映像表示素子１３の厚さムラに起因するので、反射型映像表示素子ごとに異なる。ここで、交換用ケース５０は、この補正量を記憶したメモリ（図示せず）を有し、これに、収納する反射型映像表示素子の補正量を記憶している。色ムラ補正回路は、このメモリから、補正量を読み込み、色ムラの補正を行う。反射型映像表示素子の交換は、このメモリを搭載した交換用ケースごと行う。これにより、それぞれの反射型映像表示素子に固有な色ムラの補正を行うことができるので、色ムラを、より、低減できる。あるいは、反射型映像表示素子が、上記の補正量を記憶するメモリを有してもよく、これにても、同様の効果が得られる。なお、色ムラの補正量を記憶するメモリに関しては、以下の実施形態の映像表示素子についても、同様である。
【００３６】
図４は、本発明の第２実施形態に係る投射型映像表示装置の構成を簡略化して示す側方から見た説明図であり、同図では装置筐体の図示手前側を割愛してある。また、本第２実施形態は、ライトバルブとして透過型映像表示素子１３ｔを用いた投射型映像表示装置２２Ａとなっており、図４において、図１に示した前記第１実施形態と均等な構成要素には同一符号を付してある。
【００３７】
図４に示すように本第２実施形態では、光源ユニット１、ライトパイプ５、結像レンズ群４３、入射側偏光板１４、透過型映像表示素子１３ｔ、出射側偏光板１４’、投射レンズ１２と直線状に並んで配置されている。光源ユニット１の光源１ａを出射した光は、色分離手段である回転ホイール１０に入射する。回転ホイール１０は、薄板の円板とモータとからなり、薄板の円板は、ここでは、Ｒ光、Ｇ光、Ｂ光の各光を透過させるコーティングをそれぞれ施した円弧の板を接合して作成されたものとなっており、中央に回転駆動源としてのモータが設けてある。そして、このモータにより薄板の円板を回転させることにより、光源１ａからの出射光は、時間軸上異なる期間に、Ｒ光、Ｇ光、Ｂ光の各色に色分離されるようになっている。
【００３８】
本第２実施形態では、色分離手段である回転ホイール１０は、その薄板の円板が回転可能であるように、交換用ケース１０ａ内に一体に組み込み・収納されており、交換用ケース１０ａごと装置に装着されるようになっている。そして、回転ホイール１０が故障した際には（特性が劣化した際には）、交換用ケース１０ａごと、回転ホイール１０を交換する構成としてある。この交換用ケース１０ａは、装置に上方から嵌め込まれて、上方からのネジ止めにより固定されるようになっており、交換用ケース１０ａを取り外すときには、図示せぬネジを外して、交換用ケース１０ａの上部に一体に設けた図示せぬ取っ手部を利用して、交換用ケース１０ａを装置の上方に引き抜くようになっている。新品の回転ホイール１０を内蔵した新品の交換用ケース１０ａを装着する際には、取り外し時と逆の手順で、交換用ケース１０ａごと回転ホイール１０を装置に装着する。なお、交換用ケース１０ａを装置に装着すると、図示していないが、回転ホイール１０のモータと接続された交換用ケース１０ａのコネクタ部と、装置のコネクタ部とが接続されるようになっていることは、言うまでもない。
【００３９】
このように、交換用ケース１０ａごと回転ホイール１０を交換するように構成することで、交換に際して回転ホイール１０が傷付く虞がなく、しかも、交換用ケース１０ａを装置の所定部位に当て付けることができるので、交換用ケース１０ａ、すなわち、回転ホイール１０の位置決め精度を良好なものに保証でき、ユーザが手軽に交換用ケース１０ａごと交換を行うことで、回転ホイール１０を簡単・容易に交換することが可能となる。
【００４０】
また、本第２実施形態でも、回転ホイール１０が装置内にあるかどうかを検知するために、交換用ケース１０ａが装着されているか否かを検知する図示せぬ検知器が、装置には設けられており、交換用ケース１０ａが装着されていない場合（すなわち、回転ホイール１０が装着されていない場合）には、装置内の光源駆動回路が備えるインターフェイス機能がこれを検知して、光源駆動回路は、ユーザが点灯ボタンを押しても、光源１ａの点灯を行わないようになっている。さらに、光源１ａの点灯中に、交換用ケース１０ａ（回転ホイール１０）が取り外された場合には、検知器からの出力でこれを検知した光源駆動回路は、強制的に光源１ａを消灯させるようになっている。このようにすることにより、正常な表示が不能な状態での誤動作を確実に防止でき、高温となる光源ユニット１の無駄な点灯を回避することができる。
【００４１】
前記した回転ホイール１０は、長期使用によりモータが劣化する。そこで、使用に耐えられない程モータが劣化した場合には、先にも述べたように、ユーザは交換用ケース１０ａごと回転ホイール１０のみを交換する。このように、ユーザ自身が回転ホイール１０を交換可能であるので、修理業者や製造元に修理を依頼する場合に比べ、修理日数も、手間もかからない。したがって、装置の他の構成部品はそのまま使用できるので、ユーザは、交換用ケース１０ａに内蔵された回転ホイール１０のみを買い換えればよいので、装置全体を買い換えるのに較べると格段にコスト負担が少ないものとなり、また、装置の寿命を長持ちさせることができる。
【００４２】
また、本第２実施形態においては、前記透過型映像表示素子１３ｔも、入射側偏光板１４および出射側偏光板１４’とともに、交換用ケース５０’に一体に組み込み・収納されて、交換用ケース５０’ごと装置に装着されるようになっており、透過型映像表示素子１３ｔなどが故障した際（特性が劣化した際）には、交換用ケース５０’ごと、透過型映像表示素子１３ｔ、入射側偏光板１４、出射側偏光板１４’を交換する構成としてある。交換用ケース５０’は、装置に上方から嵌め込まれて、上方からのネジ止めにより固定されるようになっており、交換用ケース５０’を取り外すときには、図示せぬネジを外して、交換用ケース５０’の上部に一体に設けた図示せぬ取っ手部を利用して、交換用ケース５０’を装置の上方に引き抜くようになっている。新品の透過型映像表示素子１３ｔ、入射側偏光板１４、出射側偏光板１４’を一体に組み付けた新品の交換用ケース５０’を装着する際には、取り外し時と逆の手順で、交換用ケース５０’ごと、透過型映像表示素子１３ｔ、入射側偏光板１４、出射側偏光板１４’を装置に装着する。透過型映像表示素子１３ｔとともに、入射側偏光板１４および出射側偏光板１４’も一緒に交換するようになす所以は、透過型映像表示素子１３ｔの液晶層の位相軸が、透過型映像表示素子１３ｔ毎に異なるため、最適なコントラストを確保するために、各透過型映像表示素子１３ｔ毎に入射側偏光板１４と出射側偏光板１４’を回転調整する必要があり、透過型映像表示素子１３ｔのみを替える場合に比べて、調整済の偏光板１４、１４’も一緒に交換した方が、交換後も、高コントラストを確保できるからである。
【００４３】
このように、交換用ケース５０’ごと、透過型映像表示素子１３ｔおよびこれに付随する偏光板１４、１４’を交換するように構成することで、交換に際して透過型映像表示素子１３ｔおよびこれに付随する偏光板１４、１４’が傷付く虞がなく、しかも、交換用ケース５０’を装置の所定部位に当て付けることができるので、交換用ケース５０’、すなわち、透過型映像表示素子１３ｔおよびこれに付随する偏光板１４、１４’の位置決め精度を良好なものに保証でき、ユーザが手軽に交換用ケース５０’ごと交換を行うことで、透過型映像表示素子１３ｔおよびこれに付随する偏光板１４、１４’を簡単・容易に交換することが可能となる。
【００４４】
また、本第２実施形態でも、透過型映像表示素子１３ｔが装置内にあるかどうかを検知するために、交換用ケース５０’が装着されているか否かを検知する図示せぬ検知器が、装置には設けられており、交換用ケース５０’が装着されていない場合（すなわち、透過型映像表示素子１３ｔおよびこれに付随する偏光板１４、１４’が装着されていない場合）には、装置内の光源駆動回路が備えるインターフェイス機能がこれを検知して、光源駆動回路は、ユーザが点灯ボタンを押しても、光源１ａの点灯を行わないようになっている。さらに、光源１ａの点灯中に、交換用ケース５０’が取り外された場合には、検知器からの出力でこれを検知した光源駆動回路は、強制的に光源１ａを消灯させるようになっている。このようにすることにより、正常な表示が不能な状態での誤動作を確実に防止でき、高温となる光源ユニット１の無駄な点灯を回避することができる。
【００４５】
前記した透過型映像表示素子１３ｔは、紫外光や熱により徐々に特性が劣化する。そこで、特性が使用に耐えられない程劣化した場合には、先にも述べたように、ユーザは交換用ケース５０’ごと、透過型映像表示素子１３ｔおよびこれに付随する偏光板１４、１４’のみを交換する。このように、ユーザ自身が、透過型映像表示素子１３ｔおよびこれに付随する偏光板１４、１４’を交換可能であるので、修理業者や製造元に修理を依頼する場合に比べ、修理日数も、手間もかからない。したがって、装置の他の構成部品はそのまま使用できるので、ユーザは、交換用ケース５０’に組み付けられた反射型映像表示素子１３およびこれに付随する相差板２３、２５のみを買い換えればよいので、装置全体を買い換えるのに較べると格段にコスト負担が少ないものとなり、また、装置の寿命を長持ちさせることができる。さらに、単板タイプの装置構成では、コンバー調整の必要がないので、より簡単な機構で十分であり、交換用の部品の低コスト化が可能となる。
【００４６】
図５は、本発明の第３実施形態に係る投射型映像表示装置の構成を簡略化して示す側方から見た説明図であり、同図では装置筐体内の構成は図示を割愛してある。本第３実施形態の投射型映像表示装置２２Ｂは、例えば、前記第１実施形態の装置筐体内の各構成要素を９０°回転させて配置した構成を採っており、図５において、図１に示した前記第１実施形態と均等な構成要素には同一符号を付してある。
【００４７】
本第３実施形態では、光軸を略垂直に配置した投射レンズ１２から、略垂直・上方向に映像が投射され、それを、反射ミラー１７で反射させて図示せぬスクリーンに投影し、スクリーンに映像を表示させる構成となっている。反射ミラー１７と一体となって回転する支軸１７ａを軸受を介して回転可能であるように保持した２本のシャフト１７ｂ’は、アンテナ等に用いられる半径を異ならせた円筒形の筒を複数つなげた伸縮可能な構成を採っており、このシャフト１７ｂ’を伸縮させることによって、スクリーン上の投影位置を容易に変更可能なように構成してある。このような構成とすることにより、スクリーンに対して、斜めに映像を投射しないようにできるので、映像が台形になることを防ぐことができる。なお、本第３実施形態においても、反射ミラー１７を回転させることにより、スクリーン上の映像の投影位置を変更・調整できるようになっている。
【００４８】
図６は、本発明の第４実施形態に係る投射型映像表示装置の構成を簡略化して示す上方から見た説明図であり、同図では装置筐体の上側を割愛してある。なお、図６において、図１に示した前記第１実施形態と均等な構成要素には同一符号を付してある。
【００４９】
本第４実施形態の投射型映像表示装置２２Ｃは、吸収型のカラーフィルタを用いて３色画素を構成した反射型映像表示素子１３’を、ライトバブルとして用いた構成となっている。本第４実施形態では、反射型映像表示素子１３’自体が３色画素を有しているので、時分割でＲ、Ｇ、Ｂの各色を分離するための色分離手段は必要としない構成となっており、ここでは、回折効果により偏光分離を行う平板型の偏光分離素子１９’を用いて検光を行う。
【００５０】
本第４実施形態においては、反射型映像表示素子１３’が偏光分離素子１９’とともに、交換用ケース５０”に一体に組み込み・収納されて、交換用ケース５０”ごと装置に装着されるようになっており、反射型映像表示素子１３’などが故障した際（特性が劣化した際）には、交換用ケース５０”ごと、反射型映像表示素子１３’、偏光分離素子１９’を交換する構成としてある。交換用ケース５０”は、装置に側方から嵌め込まれて、側方からのネジ止めにより固定されるようになっており、交換用ケース５０”を取り外すときには、図示せぬネジを外して、交換用ケース５０”の側面に一体に設けた図示せぬ取っ手部を利用して、交換用ケース５０”を装置の側方に引き抜くようになっている。新品の反射型映像表示素子１３’、偏光分離素子１９’を一体に組み付けた新品の交換用ケース５０”を装着する際には、取り外し時と逆の手順で、交換用ケース５０”ごと、反射型映像表示素子１３’および偏光分離素子１９’を装置に装着する。反射型映像表示素子１３’とともに、偏光分離素子１９’も一緒に交換するようになす所以は、反射型映像表示素子１３’の液晶層の位相軸が、反射型映像表示素子１３’毎に異なるため、最適なコントラストを確保するために、各反射型映像表示素子１３’毎に偏光分離素子１９’を回転調整する必要があり、反射型映像表示素子１３’のみを替える場合に比べて、調整済の偏光分離素子１９’も一緒に交換した方が、交換後も、高コントラストを確保できるからである。さらにまた、偏光分離素子１９’にて反射して、映像を投射レンズで投射させる構成であるため、偏光分離素子１９’の膜面１９ａ’の角度と反射型映像表示素子１３’の映像表示面の角度とを精度よく保たないと、スクリーン上で投影位置がずれる虞があるが、これも、反射型映像表示素子１３’と偏光分離素子１９’を一緒に交換することにより、両者の精度をより高く保つことを可能になり、投影位置のずれも小さくできるためである。
【００５１】
このように、交換用ケース５０”ごと、反射型映像表示素子１３’とこれに付随する偏光分離素子１９’を交換するように構成することで、交換に際して反射型映像表示素子１３’とこれに付随する偏光分離素子１９’が傷付く虞がなく、しかも、交換用ケース５０”を装置の所定部位に当て付けることができるので、交換用ケース５０”、すなわち、反射型映像表示素子１３’とこれに付随する偏光分離素子１９’の位置決め精度を良好なものに保証でき、ユーザが手軽に交換用ケース５０”ごと交換を行うことで、反射型映像表示素子１３’とこれに付随する偏光分離素子１９’を簡単・容易に交換することが可能となる。
【００５２】
また、本第４実施形態でも、反射型映像表示装置１３’が装置内にあるかどうかを検知するために、交換用ケース５０”が装着されているか否かを検知する図示せぬ検知器が、装置には設けられており、交換用ケース５０”が装着されていない場合（すなわち、反射型映像表示素子１３’とこれに付随する偏光分離素子１９’が装着されていない場合）には、装置内の光源駆動回路が備えるインターフェイス機能がこれを検知して、光源駆動回路は、ユーザが点灯ボタンを押しても、光源１ａの点灯を行わないようになっている。さらに、光源１ａの点灯中に、交換用ケース５０”が取り外された場合には、検知器からの出力でこれを検知した光源駆動回路は、強制的に光源１ａを消灯させるようになっている。このようにすることにより、正常な表示が不能な状態での誤動作を確実に防止でき、高温となる光源ユニット１の無駄な点灯を回避することができる。
【００５３】
前記した反射型映像表示素子１３’は、紫外光や熱により徐々に特性が劣化する。そこで、特性が使用に耐えられない程劣化した場合には、先にも述べたように、ユーザは交換用ケース５０”ごと、反射型映像表示素子１３’とこれに付随する偏光分離素子１９’のみを交換する。このように、ユーザ自身が、反射型映像表示素子１３’とこれに付随する偏光分離素子１９’を交換可能であるので、修理業者や製造元に修理を依頼する場合に比べ、修理日数も、手間もかからない。したがって、装置の他の構成部品はそのまま使用できるので、ユーザは、交換用ケース５０”に組み付けられた反射型映像表示素子１３’とこれに付随する偏光分離素子１９’のみを買い換えればよいので、装置全体を買い換えるのに較べると格段にコスト負担が少ないものとなり、また、装置の寿命を長持ちさせることができる。さらに、単板タイプの装置構成では、コンバー調整の必要がないので、より簡単な機構で十分であり、交換用の部品の低コスト化が可能となる。
【００５４】
図７の（ａ）は、映像表示素子（ライトバブル）やこれに付随する光学要素を一体に組み込んだ交換用ケース６０、または、色分離手段やこれに付随する光学要素を一体に組み込んだ交換用ケース７０を、装置に係止するための構成の変形例１を示しており、前記した第１〜第４実施形態にそれぞれ適用可能となっている。
【００５５】
図７の（ａ）において、８０は、装置に支軸８１を回転中心として回動可能であるように設けられた係止片で、図示せぬバネにより、図示左旋方向の回動偏倚習性を付与されている。この係止片８０には、交換用ケース６０または７０の肩部を上方から押圧する第１押圧部８０ａと、交換用ケース６０または７０の肩部を側方から押圧する第２押圧部８０ｂと、つまみ部８０ｃとが設けられており、装置内に嵌め込まれた交換用ケース６０または７０の肩部を、第１押圧部８０ａと第２押圧部８０ｂとが図示矢印方向に押圧することで、交換用ケース６０または７０を装置内の所定位置に確実に位置決めするようになっている。交換用ケース６０または７０を交換する際には、つまみ部８０ｃを手指などで押して、係止片８０をバネ力に抗して右旋させることで、係止片８０による交換用ケース６０または７０の係止を解き、この状態で、交換用ケース６０または７０を装置から引き抜くようにされる。また、新品の交換用ケース６０または７０を装置に装着する際には、つまみ部８０ｃを手指などで押して、係止片８０をバネ力に抗して右旋させた状態で、交換用ケース６０または７０を装置に嵌め込み、然る後、係止片８０を右旋させた状態から解除することで、図７の（ａ）に示す交換用ケース６０または７０の係止状態に移行することとなる。このような構成をとると、ネジ止めによる構成に比して、交換用ケース６０または７０の脱着が簡単・容易なものとなり、ユーザにとって交換の作業性に優れたものとすることができる。
【００５６】
図７の（ｂ）は、映像表示素子（ライトバブル）やこれに付随する光学要素を一体に組み込んだ交換用ケース６０、または、色分離手段やこれに付随する光学要素を一体に組み込んだ交換用ケース７０を、装置に係止するための構成の変形例２を示しており、前記した第１〜第４実施形態にそれぞれ適用可能となっている。
【００５７】
図７の（ｂ）において、９０は、装置にその基端部を固定されたバネ性をもつ金属板からなる係止片で、交換用ケース６０または７０の肩部を上方から押圧する第１押圧部９０ａと、交換用ケース６０または７０の肩部を側方から押圧する第２押圧部９０ｂと、つまみ部９０ｃとが設けられている。この係止片９０は、交換用ケース６０または７０が装置内に嵌め込まれたときには、図示右旋方向に弾性変形して、これにより、交換用ケース６０または７０の肩部を、第１押圧部９０ａと第２押圧部９０ｂとで図示矢印方向にそれぞれ押圧するように機能し、このように係止片９０自身のバネ力で、交換用ケース６０または７０を装置内の所定位置に確実に位置決めするようになっている。交換用ケース６０または７０を交換する際には、つまみ部９０ｃを手指などで押して、係止片９０をそのバネ力に抗してさらに右旋方向に弾性変形させることで、係止片９０による交換用ケース６０または７０の係止を解き、この状態で、交換用ケース６０または７０を装置から引き抜くようにされる。また、新品の交換用ケース６０または７０を装置に装着する際には、つまみ部８０ｃを手指などで押して、係止片９０をそのバネ力に抗して大きく右旋方向に弾性変形させた状態で、交換用ケース６０または７０を装置に嵌め込み、然る後、係止片９０に対する手指などによる押圧力を解除することで、図７の（ｂ）に示す交換用ケース６０または７０の係止状態に移行することになる。このような構成をとっても、ネジ止めによる構成に比して、交換用ケース６０または７０の脱着が簡単・容易なものとなり、ユーザにとって交換の作業性に優れたものとすることができる。
【図面の簡単な説明】
【００５８】
【図１】本発明の第１実施形態に係る投射型映像表示装置の構成を簡略化して示す説明図である。
【図２】本発明の第１実施形態に係る投射型映像表示装置における、装置から反射型映像表示素子用の交換用ケースを取り外した状態を示す斜視図である。
【図３】（ａ）は図２と反対方向から見た交換用ケースの斜視図であり、（ｂ）は（ａ）中の反射型映像表示素子の斜視図である。
【図４】本発明の第２実施形態に係る投射型映像表示装置の構成を簡略化して示す説明図である。
【図５】本発明の第３実施形態に係る投射型映像表示装置の構成を簡略化して示す説明図である。
【図６】本発明の第４実施形態に係る投射型映像表示装置の構成を簡略化して示す説明図である。
【図７】本発明の第１〜第４実施形態に係る投射型映像表示装置に適用可能な、交換用ケースを装置に係止するための構成の変形例１、２を示す説明図である。
【符号の説明】
【００５９】
１  光源ユニット
１ａ  光源
２  リフレクタ
５  ライトパイプ
１０  回転ホイール
１０ａ  交換用ケース
１１  電子的色分離手段
１１ａ  交換用ケース
１１ｂ  検知器
１２  投射レンズ
１２’  着脱可能な機構
１３、１３’  反射型映像表示素子
１３ａ  フレキシブル配線板
１３ｔ  透過型映像表示素子
１４  入射側偏光板
１４’  出射側偏光板
１７  反射ミラー
１７’  保持する機構
１７ａ  支軸
１７ｂ、１７ｂ’  シャフト
１７ｃ  雄ネジ付き部材
１９、１９’  偏光分離素子
１９ａ、１９ａ  膜面
２２、２２Ａ、２２Ｂ、２２Ｃ  投射型映像表示装置
２２ａ  押し当て部
２３  １／４波長位相差板
２５  視野角補償位相差板
３０  収納部
３７  シャーシ
４３  結像レンズ群
５０、５０’、５０”  交換用ケース
５０ａ  押し当て部
５０ｂ  コネクタ部
５１  検知器
５２  平板ガラス
５４  ネジ穴
５５  ネジ
５６  コネクタ部
６０、７０  交換用ケース
６２  光源駆動回路
８０、９０  係止片
８０ａ、９０ａ  第１押圧部
８０ｂ、９０ｂ  第２押圧部
８０ｃ、９０ｃ  つまみ部
８１  支軸
【図１】
2005208488.tif 000003
【図２】
2005208488.tif 000004
【図３】
2005208488.tif 000005
【図４】
2005208488.tif 000006
【図５】
2005208488.tif 000007
【図６】
2005208488.tif 000008
【図７】
2005208488.tif 000009